(57)【要約】      （修正有）【課題】きものを余り着慣れない人から、初めてきものを着る人まで、その着用者に合った綺麗なおはしょりのある状態できものを簡単に着ることができる女性用きものを提供する。【解決手段】着用者の身長、手の長さや肩巾に応じた裄丈、胴回り寸法に沿って本仕立てにより縫い合せてきものを形成する。きもの着丈に沿っておはしょり１１を作る。このおはしょりは、帯１２を締めた時に帯下から覗くおはしょり１１の下縁１５が帯の下縁１３と平行状態になるようにし、その状態で縫付けて固定し、女性用きもの１０とする。このきものを肩に羽織り、前身頃を打合せて、腰紐で締着し、その上から帯を締めるだけで綺麗なおはしょりの出来た着付け状態となる。【選択図】図５
0003209333.tif 000002
【実用新案登録請求の範囲】
【請求項１】
着用者の身長、手の長さや肩巾に応じた裄丈、胴回り寸法に沿って本仕立てによりきものを形成し、きもの着丈に沿っておはしょりを作り、このおはしょりは帯を締めた時に帯下に覗く縦幅を着用者の寸法に合わせてその下縁が帯の下縁と平行状態になるように縫付けて形成した女性用きもの。
【請求項２】
上記きものには着丈の寸法に沿って上前及び下前の両衿先に腰紐が取付けられている請求項１に記載の女性用きもの。
【請求項３】
上記腰紐はきものの表地との間で滑りを生じないような広幅の腰紐である請求項２に記載の女性用きもの。
【考案の詳細な説明】
【技術分野】
【０００１】
本考案は、誰でもが簡単に着付けができる女性用きものに関するものである。
【背景技術】
【０００２】
女性用のきもの（長着）の丈は、着丈よりも長く作られるので、着用するときには、衿部分を手に持って着丈より長い部分をたぐり上げ、丈を身長に合せるようにして裾の位置を決める。次いで下半身の前身頃を打合せて腰紐を締めた後で、身八ツ口より手を入れて上にたぐった部分を整えて胸を打合せ、腰の周囲にたぐった部分を腰紐の位置から下げておはしょりを形成してから腰紐を締めて固定し、その上から帯を締めて帯の下からおはしょりをした部分の一部が覗くようにして着付けている。
【０００３】
このおはしょりは、帯の下縁から覗き、また、帯の下縁に平行するように真直ぐになっていると、帯とよくマッチしてすっきりとした感じになり、きものが作り出す美観、着姿を左右するような重要な要素の一つとなっている。
【０００４】
きものを普段から着慣れている人は、こうしたおはしょりを難なく綺麗に作ることが出来るようになる。しかし、きものを着馴れない人にとっては、おはしょりの部分をたぐり上げて腰紐を締める際にたぐり上げた部分が下ってしまって裾の位置がずれたり、腰紐の位置が決まらずにおはしょりの部分が体裁の悪いものになるという難しい着付け作業であって、きものが気軽に着られない理由の一つともなっている。
【０００５】
こうしたことから、予めきものの腰部に揚げをするようにしておはしょりを作っておくことも提案されているが、こうしたおはしょりでは着物の腰部の全周に亘って一定幅に折返して形成されているので一応おはしょりが形成されるが、帯を締めたときに帯の下から覗いているおはしょり部分の幅が衿下、衽、前身ごろ、後身ごろなどにおいて部分的に斜めになったりして真直ぐにならず、見映えの悪いものが多くなっている。（図６）
【考案の概要】
【考案が解決しようとする課題】
【０００６】
本考案は、きものを余り着慣れない人から、初めてきものを着る人まで、その着用者に合った綺麗なおはしょりのある状態できものを簡単に着ることができるようにしようとするものである。
【課題を解決するための手段】
【０００７】
本考案においては、着用者の身長、手の長さや肩巾に応じた裄丈、胴回り寸法に沿って本仕立てにより縫い合せてきものを形成し、きもの着丈に沿っておはしょりを作る。このおはしょりは帯を締めた時に帯下から覗く縦幅を着用者の寸法に合わせてその下縁が帯の下縁と平行状態になるようにし、その状態で縫付けるようにした女性用きものである。
また、この着物には着丈の寸法に沿うようにして、上前及び下前の両衿先に腰紐を取付けるようにする。
【考案の効果】
【０００８】
本考案によれば、このきものを羽織って袖に腕を通してから左右の衿を片手で持ち、もう一方の手で後ろをやや下方に引いて衿足を整え、前身頃を打合せるようにして腰紐を締めればきものが着れて、そのままでおはしょりが形成されているので、腰紐を結んだ上で帯を腰部に締めることによって、おはしょりの一部が帯の下から均一的な幅で、また帯の下縁に平行するように現れるので、すっきりとした着付け状態を作り出すことができ、特に初心者であっても手間もいらず簡便に美しい着付け姿を得ることができる。
【０００９】
また、衿先に腰紐を有するものでは、前身頃を打合せて下前の腰紐を身八ツ口に通して表に出して腰に巻き、上前側の腰紐も腰に巻いて両紐を結ぶことによって、着付けが一層楽に行うことができるようになるし、きつく結ばないでも腰部に安定的に固定することができるので、窮屈でないし、着崩れも防ぐことができる。
【図面の簡単な説明】
【００１０】
【図１】本考案の実施例を示す女性用きものの正面図である。
【図２】図１に示すものの上前身頃を開いた状態の正面図である。
【図３】図１に示すもののおはしょり部分を示す拡大断面図である。
【図４】図１に示すものの腰紐を結んだ状態を示す説明図である。
【図５】図４に示すものに帯を締めた状態を示す説明図である。
【図６】従来のものの着付け状態を示す説明図である。
【考案を実施するための形態】
【００１１】
上前身頃（１）、下前身頃（２）、上前衽（３）、下前衽（４）、後身頃（５）、衿（６）、袖（７）等を備えるきもの（１０）は、絹、木綿、麻、毛、合成繊維等、これらの混紡、交織などの適宜の生地を使用して、身頃丈を着丈より長尺にし、これらを縫着して本仕立てに仕上げている。
図示するものでは表地（８）と裏地（９）のある袷に仕立てられているが、単衣にすることもある。
【００１２】
上記きもの（１０）には着用者の着丈、腰の位置を勘案しておはしょり（１１）が形成される。このおはしょり（１１）は、おはしょりの下縁（１５）が上記帯（１２）の下縁（１３）と平行になるようにたぐり上げてから、これを縫付け（１７）ておはしょりが変形しないように固定している。
【００１３】
着用者の体形は個々人によって異なるから、従来のようにきものの腰部を同じ幅でたぐり上げて縫付けただけでは、おはしょりが斜めになったりして（図６）、上記のようなおはしょりを作ることができないので、たぐり幅を体形に合わせて少しづつ調整しながらおはしょりを作ることによって、所望のきものを得ることができる。
【００１４】
こうしたきもの（１０）は、上記したように肩に羽織って袖（７）に腕を通してから左右の衿（６）を片手で持ち、もう一方の手で後ろをやや下方に引くようにして衿足（１６）を整え、前身頃（１）（２）を打合せるようにして腰紐を締めればきものが着れて、そのままでおはしょりが形成された状態となる。そして、帯（１２）を腰部に締めるようにすれば、おはしょり（１１）の一部が均一的な幅で帯の下から覗き、またおはしょりの下縁（１５）が帯の下縁（１３）に平行するように現れた状態になるので、すっきりとした着付け状態を作り出すことができ、特に初心者であっても手間もいらず簡便に美しい着姿が得られるようになる。
【００１５】
このようにこの女性用きものは簡単に着ることができるので、この上から帯（１２）を結ぶだけで、きものを着馴れない人であってもあたかも洋服を着るような手軽さで着ることができ、綺麗なきもの姿を得ることができる。（１８）は帯締めである。
また、特に初心者の場合には、このきものに合せて予めお太鼓が作られている作り帯を使用すれば、帯を結ぶ手間もいらないので、一層簡便にきもの姿を楽しむことができるようになる。
【００１６】
また、このきものに形成されているおはしょり（１１）は、縫付け（１７）によってきものを脱いだ後でもそのままに保持されているので、次に着るときにはきものを拡げて羽織れば、上記したように何時でも同じように綺麗なおはしょりが自然に作られ、着物を美しく着ることができる。
【００１７】
こうしたおはしょり（１１）が作られているきもの（１０）には、図示するように着用者の寸法に合わせて、上前の衿先（２０）と下前の衿先（２１）の部分に腰紐（２２）（２３）を縫付けておくことができる。
こうしたものでは、きものを羽織って前身頃を打合せ、下前側の腰紐（２３）を身八つ口から表側に出して腰に回し、上前側の腰紐（２２）も腰に回して前で結ぶようにするだけで、一層簡単に着物をきちんとした状態に着ることができる。
この腰紐（２２）（２３）は、少し幅広のものとし、着物との間で滑り難い材質のものを使用すれば、この腰紐を結ぶだけで窮屈になることもなく、着付け状態を確実に維持することができて、着崩れを起こし難いものとなる。
【００１８】
きものを着馴れてきて、自分で楽におはしょりを作ることができるようになったら、上記したおはしょりを作っている縫糸を解いてやると、本仕立ての着物になるから、通常のきものの着方によって、着物を楽しむことができるようになる。
【符号の説明】
【００１９】
１    上前身頃
２    下前身頃
３    上前衽
４    下前衽
５    後見頃
６    衿
７    袖
１０  きもの
１１  おはしょり
１２  帯
１３  帯の下縁
１５  おはしょりの下縁
２２，２３  腰紐
【図１】
0003209333.tif 000003
【図２】
0003209333.tif 000004
【図３】
0003209333.tif 000005
【図４】
0003209333.tif 000006
【図５】
0003209333.tif 000007
【図６】
0003209333.tif 000008